(57)【要約】    【課題】  部品点数を削減して洗濯機のユニット構造を単純化し、しかも洗浄力を向上することができる洗濯機を提供する。    【解決手段】  筐体２と、前記筐体２内に弾性的に支持した外槽３と、前記外槽３内に回転自在に支持されて洗濯物を収納する内槽４と、前記内槽４を回転させるモータ６を前記外槽３の外側に備えた洗濯機１であって、前記内槽４が前記モータ６の回転軸７に接続され、前記内槽４の底部９に回転軸７を中心にして該底部の端部に向けて延びる複数の突起状の撹拌用翼１１を設けるとともに、前記内槽４の内周壁面１３に該内周面の上下方向に延びる複数の撹拌用リブ１２を設ける。    【選択図】  図１
2006311906.tif 000002
【特許請求の範囲】
【請求項１】
筐体と、前記筐体内に弾性的に支持した外槽と、前記外槽内に回転自在に支持されて洗濯物を収納する内槽とを有し、前記内槽を回転させるモータを前記外槽の外側に備えた洗濯機であって、
前記内槽が前記モータの回転軸に接続され、
前記内槽の底部に回転軸を中心にして該底部の端部に向けて延びる複数の突起状の撹拌用翼を設けるとともに、前記内槽の内周壁面に該内周面の上下方向に延びる複数の撹拌用リブを設けた
ことを特徴とする洗濯機。
【請求項２】
前記突起状の撹拌用翼及び撹拌用リブが前記内槽と一体に形成されている
ことを特徴とする請求項１に記載の洗濯機。
【発明の詳細な説明】
【技術分野】
【０００１】
本発明は、洗濯機に関し、さらに詳しくは部品の削減によって洗濯機のユニット構造を単純化し、しかも洗浄力を向上することができる洗濯機に関する。
【背景技術】
【０００２】
従来の洗濯機は内槽内でパルセータを回転させて洗濯するものが一般的である。この種の洗濯機５０は、図３に示すように、筺体５２内に２重構造からなる外槽５３と内槽５４とを設け、外槽５３は筐体５２に吊り棒６３とサスペンション機構６４により弾性的に吊り下げられて筐体５２に懸垂防振支持して設置されている。内槽５４は洗濯物を収容し、外槽５３内に回転自在に支持されている。内槽５４の底部には洗濯物を撹拌する複数の羽根６０を設けたパルセータ５６を備えている（例えば、特許文献１参照）。
【０００３】
従来の洗濯機５０は、図に示すように、外槽５３の下方に駆動手段であるダイレクトドライブ方式のモータ５７を設け、その回転軸５８は電磁クラッチ機構５９を備えた二重シャフト構造を有し、軸端にパルセータ５６が取り付けられている。
【０００４】
モータ５７の回転は、電磁クラッチ機構５９によりモータ５７の減速や接続が切り替えられ、二重シャフトの外側軸で内槽５４に駆動力が伝達され、内側軸でパルセータ５６に伝達されるようになっており、洗濯やすすぎ工程においてモータ５７の回転をパルセータ５６に伝達して回転させ内槽５４内で洗濯物を撹拌して洗濯、すすぎを行い、脱水工程では内槽５４と同期してセパルータ５６を高速回転させて脱水するようになっている。
【特許文献１】特開２００４−２０９１３２号公報
【発明の開示】
【発明が解決しようとする課題】
【０００５】
上記構成の洗濯機では、セパルータや電磁クラッチ機構、二重シャフト構造の回転軸を必要とし、部品点数を多数要して洗濯機のユニット構造を複雑にし、かつ組立工数を煩雑にし、その結果として洗濯機のコスト増や故障による信頼性低下の一因となっている。
【０００６】
本発明は、上記問題に鑑み、部品点数を削減して洗濯機のユニット（内部）構造を単純化し、しかも洗浄力を向上することができる洗濯機を提供するものである。
【課題を解決するための手段】
【０００７】
請求項１の発明は、筐体と、前記筐体内に弾性的に支持した外槽と、前記外槽内に回転自在に支持されて洗濯物を収納する内槽と、前記内槽を回転させるモータを前記外槽の外側に備えた洗濯機であって、前記内槽が前記モータの回転軸に接続され、前記内槽の底部に回転軸を中心にして該底部の端部に向けて延びる複数の突起状の撹拌用翼を設けるとともに、前記内槽の内周壁面に該内周面の上下方向に延びる複数の撹拌用リブを設けたことを特徴とする洗濯機である。
【０００８】
請求項２の発明は、前記突起状の撹拌用翼及び撹拌用リブが前記内槽と一体に形成されていることを特徴とする請求項１に記載の洗濯機である。
【発明の効果】
【０００９】
本発明に係る洗濯機であると、内槽がモータの回転軸に直接接続されることで、従来の電磁クラッチ機構や二重シャフト構造が不要になり部品点数を削減し洗濯機のユニット構造を単純化し、洗濯機のコストダウン、信頼性向上が図られ、また、内槽の底部に設けた複数の突起状の撹拌用翼と内周壁面に設けた複数の撹拌用リブとが、内槽内の洗濯物を撹拌し洗濯、すすぎを行うのでパルセータが不要になり、かつ、内槽の底部と内周面から撹拌力が発生し洗浄力を高めることができる。
【発明を実施するための最良の形態】
【００１０】
図１は本発明の実施例における洗濯機１の縦断面概略図、図２は同洗濯機内の要部平面図である。
【００１１】
図において、洗濯機１は、筺体２内に２重構造からなる外槽３と内槽４とを設けている。外槽３はサスペンション機構１４により筐体２に吊り棒１５を介して弾性的に吊り下げられ懸垂防振支持され設置されている。洗濯物を収容する内槽４は外槽３内に回転自在に支持され、洗濯物を出し入れする開口部５を有する有底状の容器であり、その周壁には脱水用の小孔（不図示）が多数開口されている。
【００１２】
筺体２には、コンピュータ制御で洗濯機１の運転を設定する操作パネル８、開閉自在な蓋１６、水道水などの供給弁１７が設けられ、また外槽３の底部には排水管１８が接続されている。
【００１３】
外槽３の下方には駆動手段であるダイレクトドライブ方式のモータ６を設け、モータ６の回転軸７が外槽３の中心部に防水手段を設けて挿通され、内槽４の中心部に直接接続されてモータ６の駆動力を内槽４に伝達するようになっている。
【００１４】
このモータ６の回転速度や回転方向、また運転時間等の設定は、前記操作パネル８により行われ、内蔵されたコンピュータによりコントロールされるので、従来の洗濯機のような電磁クラッチ機構や二重シャフト構造の回転軸が不要になる。
【００１５】
内槽４には、その底部９の回転軸７を中心にして内槽底部の端部に延びる複数の突起状の撹拌用翼１１（図では４本の突起状の撹拌用翼を十字形状に設けている）が等間隔で設けられている。
【００１６】
また、内槽４の内周壁面１３には内周面から突出して上下方向に延びる複数の撹拌用リブ１２が、内周面の全周に内歯車状に等間隔で設けられている。
【００１７】
上記内槽４に設けられる突起状の撹拌用翼１１及び撹拌用リブ１２は、その突出部により内槽４内の洗濯物と洗濯水を撹拌し洗濯、すすぎを行うことができ、かつ、内槽４の底部９と内周面１３とから撹拌力を発生するので、従来の内槽底部に設けられたパルセータのみによるものより撹拌能力を向上し洗浄力を高めることができる。
【００１８】
この突起状の撹拌用翼１１及び撹拌用リブ１２は、内槽４の製造時に同時に成形加工し形成することができ、従来の別部品からなる撹拌用のパルセータを不要として、洗濯機１の部品数を削減することができる。
【００１９】
上記突起状の撹拌用翼１１は、図に示す以外に、回転軸７を中心として曲線部分を有する渦状形状でもよく、また上記撹拌用リブ１２は内周面の上下方向に対して傾斜角度を設けたものやジグザグ状に配置したもの、或いはリブの高さや断面形状の異なる撹拌用リブを交互に配置するなど、本発明の目的を逸脱しない範囲で変更することができ、それらの設置数も突起状の撹拌用翼１１や撹拌用リブ１２の寸法、洗濯機の容量に応じて変更することができる。
【００２０】
このような洗濯機１では、洗濯やすすぎ工程においてモータ６の回転を直接内槽４に伝達し、間欠反転運転などの運転制御を行い回転させ、内槽４内で洗濯物を撹拌して洗濯、すすぎを行い、脱水工程では洗濯、すすぎ工程よりも高速回転で内槽４を一方向に回転させて脱水するようになっている。
【００２１】
従って、本発明の洗濯機１は、洗濯物の洗浄力を高めることができるとともに、従来のパルセータや電磁クラッチ機構と二重シャフト構造の回転軸を不要にして部品点数を削減し洗濯機のユニット構造を単純化し、洗濯機のコストダウンが図られるものとなる。
【産業上の利用可能性】
【００２２】
本発明の洗濯機は、二槽式洗濯機、自動洗濯機など各種洗濯機に用いられる。
【図面の簡単な説明】
【００２３】
【図１】実施形態の洗濯機の断面概略図である。
【図２】同上洗濯機内の要部平面図である。
【図３】従来例の洗濯機の断面概略図である。
【図４】同上洗濯機内の要部平面図である。
【符号の説明】
【００２４】
１……洗濯機
２……筺体
３……外槽
４……内槽
６……モータ
７……回転軸
９……内槽の底部
１１……突起状の撹拌用翼
１２……撹拌用リブ
１３……内槽の内周壁面
【図１】
2006311906.tif 000003
【図２】
2006311906.tif 000004
【図３】
2006311906.tif 000005
【図４】
2006311906.tif 000006